(57)【要約】【課題】  無線ＬＡＮの各アクセスポイントに接続される携帯端末にて入手可能な固有情報を無線ＬＡＮ領域外の他の携帯端末でも入手し得る通信情報提供システム、その通信情報提供方法、携帯端末、情報サーバ、通信情報提供プログラム及び記録媒体を提供する。【解決手段】  無線ＬＡＮ接続サービス装置１０の各サービスＡＰ３は、サービスＡＰ識別子３ａとサービスＡＰ３が記憶しているローカル情報４とを通信領域内に存在する携帯電話ａへ送信する。携帯電話ａは、各サービスＡＰ３からの、サービスＡＰ識別子３ａ及びローカル情報４の受信に基づいて、サービスＡＰ３の通信領域外に存在する携帯電話ｂから予め受けた所望情報に該当するローカル情報４を、携帯電話網１２を介して携帯電話ｂに送信する所望情報提供装置２０を備えている。【選択図】  図１
2006074630.tif 000002
【特許請求の範囲】
【請求項１】
複数のアクセスポイントを有する無線ＬＡＮ通信手段と、携帯電話通信網と、これら無線ＬＡＮ通信手段と無線通信しかつ携帯電話通信網を介して無線通信する複数の携帯端末とを含む通信情報提供システムにおいて、
上記無線ＬＡＮ通信手段の各アクセスポイントは、
上記アクセスポイントを識別するためのアクセスポイント識別子と該アクセスポイントから供給される固有情報とを通信領域内に存在する第１の携帯端末へ送信する送信制御手段を備える一方、
上記第１の携帯端末は、
各アクセスポイントからの、上記アクセスポイント識別子及び固有情報の受信に基づいて、第２の携帯端末から予め受けた所望情報に該当する所望固有情報を、携帯電話通信網を介して第２の携帯端末に送信する所望情報提供手段を備えていること特徴とする通信情報提供システム。
【請求項２】
前記各アクセスポイントの送信制御手段は、
第１の携帯端末との通信を行うときに通信相手の認証を行う認証手段と、前記アクセスポイント識別子及び固有情報を記憶するアクセスポイント固有情報記憶手段とを有していることを特徴とする請求項１記載の通信情報提供システム。
【請求項３】
前記第１の携帯端末の所望情報提供手段は、
各アクセスポイントからアクセスポイント識別子及び固有情報を受信する受信手段と、
前記第２の携帯端末から受信した、上記第２の携帯端末を特定するための携帯端末識別子と所望する固有情報の種別を示す所望情報種別識別子とを関連付けて記憶する所望情報記憶手段と、
上記アクセスポイントから受信手段にて受信した、アクセスポイント識別子と固有情報とを関連付けて記憶する固有情報記憶手段と、
上記固有情報記憶手段に記憶された固有情報の中に所望情報記憶手段に記憶された所望情報種別識別子と一致又は類似するものがあるか否かを判断する判断手段と、
上記固有情報の中に所望情報種別識別子と一致又は類似するものがあるときに、上記固有情報記憶手段に記憶された固有情報を携帯電話通信網にて送信すべく送信処理する情報処理手段と、
上記情報処理手段の出力を、携帯電話通信網を介して上記第２の携帯端末に送信する送信手段とを備えていることを特徴とする請求項１又は２記載の通信情報提供システム。
【請求項４】
前記第１の携帯端末の所望情報提供手段は、
前記情報処理手段の出力を前記送信手段に入力するか否かを判定する判定手段を備えていることを特徴とする請求項３記載の通信情報提供システム。
【請求項５】
前記第１の携帯端末の所望情報提供手段は、
前記アクセスポイント識別子と該アクセスポイントから供給される固有情報とを前記アクセスポイントから受信手段にて受信したときの時刻を計測する計時手段を備え、
上記第１の携帯端末における所望情報提供手段の固有情報記憶手段は、
上記アクセスポイントから受信手段にて受信した、アクセスポイント識別子及び該アクセスポイントから供給される固有情報と、これらアクセスポイント識別子及び該アクセスポイントから供給される固有情報を受信したときの時刻とを関連付けて記憶していることを特徴とする請求項３又は４記載の通信情報提供システム。
【請求項６】
情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システムにおいて、
無線ＬＡＮ通信手段の各アクセスポイントは、
上記アクセスポイントを識別するためのアクセスポイント識別子と、該アクセスポイントの通信領域内に存在する第１の携帯端末との通信時における認証済ＩＤとを上記情報サーバへ送信する送信制御手段を備える一方、
上記情報サーバは、
各アクセスポイントからの、上記アクセスポイントの通信領域内に存在する第１の携帯端末との通信時における認証済ＩＤの受信に基づいて、第２の携帯端末から予め受けた所望情報に該当する所望固有情報を、インターネット及び携帯電話通信網を介して第２の携帯端末に送信する所望情報提供手段を備えていること特徴とする通信情報提供システム。
【請求項７】
前記情報サーバの所望情報提供手段は、
前記第２の携帯端末から予め受信した、認証用ＩＤと上記第２の携帯端末を特定するための携帯端末識別子と所望する固有情報の種別を示す所望情報種別識別子とを関連付けて記憶する所望情報記憶手段と、
各アクセスポイントからの、該アクセスポイントの通信領域内に存在する第１の携帯端末との通信時における認証済ＩＤと上記アクセスポイント識別子とを受信する受信手段と、
上記受信手段にて受信した認証済ＩＤを記憶すると共に、各アクセスポイントの通信領域における固有情報と該アクセスポイントを識別するためのアクセスポイント識別子とを関連付けて記憶する提供用固有情報記憶手段と、
上記提供用固有情報記憶手段に記憶された上記認証済ＩＤと、所望情報記憶手段に記憶された認証用ＩＤとが一致するか否かを判断するＩＤ判断手段と、
上記ＩＤ判断手段により、上記提供用固有情報記憶手段に記憶された上記認証済ＩＤと、所望情報記憶手段に記憶された認証用ＩＤとが一致すると判断されたときに、上記提供用固有情報記憶手段に記憶された固有情報の中に、上記所望情報記憶手段に記憶された所望情報種別識別子と一致又は類似するものがあるか否かを判断する情報判断手段と、
上記情報判断手段により、上記提供用固有情報記憶手段に記憶されたアクセスポイント識別子及び固有情報の中に、上記所望情報記憶手段に記憶された所望情報種別識別子と一致又は類似するものがあると判断されたときに、上記提供用固有情報記憶手段に記憶された固有情報をインターネット及び携帯電話通信網を介して送信すべく送信処理する情報処理手段と、
上記情報処理手段の出力をインターネット及び携帯電話通信網を介して上記第２の携帯端末を特定するための携帯端末識別子に基づき第２の携帯端末に送信する送信手段とを備えていることを特徴とする請求項６記載の通信情報提供システム。
【請求項８】
前記情報サーバの所望情報提供手段は、
前記情報処理手段の出力を前記送信手段に入力するか否かを判定する判定手段を備えていることを特徴とする請求項７記載の通信情報提供システム。
【請求項９】
前記情報サーバの所望情報提供手段は、
前記認証済ＩＤを受信したときの時刻を計測する計時手段を備え、
上記情報サーバにおける所望情報提供手段の前記提供用固有情報記憶手段は、
前記認証済ＩＤを受信した時刻と、該受信時のアクセスポイントを識別するためのアクセスポイント識別子とを関連付けて記憶していることを特徴とする請求項７又は８記載の通信情報提供システム。
【請求項１０】
情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システムにおいて、
無線ＬＡＮ通信手段の各アクセスポイントは、
上記アクセスポイントを識別するためのアクセスポイント識別子と、該アクセスポイントの通信領域内に存在する第１の携帯端末との通信時における認証済ＩＤとを上記情報サーバへ送信する送信制御手段を備える一方、
上記情報サーバは、
いずれかのアクセスポイントからの、上記アクセスポイントの通信領域内に存在する第１の携帯端末との通信時における認証済ＩＤの受信に基づいて、予め認証用ＩＤ及び所望情報を受けた第２の携帯端末に対して、各アクセスポイントの固有情報における全てを、インターネット及び携帯電話通信網を介して第２の携帯端末に送信する所望情報提供手段を備えていること特徴とする通信情報提供システム。
【請求項１１】
前記情報サーバの所望情報提供手段は、
前記第２の携帯端末から予め受信した、認証用ＩＤと上記第２の携帯端末を特定するための携帯端末識別子と所望する固有情報の種別を示す所望情報種別識別子とを関連付けて記憶する所望情報記憶手段と、
各アクセスポイントからの、該アクセスポイントの通信領域内に存在する第１の携帯端末との通信時における認証済ＩＤと上記アクセスポイント識別子とを受信する受信手段と、
上記受信手段にて受信した認証済ＩＤを記憶すると共に、各アクセスポイントの通信領域における固有情報と該アクセスポイントを識別するためのアクセスポイント識別子とを関連付けて記憶する提供用固有情報記憶手段と、
上記提供用固有情報記憶手段に記憶された上記認証済ＩＤと、所望情報記憶手段に記憶された認証用ＩＤとが一致するか否かを判断するＩＤ判断手段と、
上記ＩＤ判断手段により、上記提供用固有情報記憶手段に記憶された上記認証済ＩＤと、所望情報記憶手段に記憶された認証用ＩＤとが一致すると判断されたときに、上記提供用固有情報記憶手段に記憶された全ての固有情報をインターネット及び携帯電話通信網を介して送信すべく送信処理する情報処理手段と、
上記情報処理手段の出力をインターネット及び携帯電話通信網を介して上記第２の携帯端末を特定するための携帯端末識別子に基づき第２の携帯端末に送信する送信手段とを備えていることを特徴とする請求項１０記載の通信情報提供システム。
【請求項１２】
前記情報サーバの所望情報提供手段は、
前記情報処理手段の出力を前記送信手段に入力するか否かを判定する判定手段を備えていることを特徴とする請求項１１記載の通信情報提供システム。
【請求項１３】
前記情報サーバの所望情報提供手段は、
前記認証済ＩＤを受信したときの時刻を計測する計時手段を備え、
上記情報サーバにおける所望情報提供手段の前記提供用固有情報記憶手段は、
前記認証済ＩＤを受信した時刻と、該受信時のアクセスポイントを識別するためのアクセスポイント識別子とを関連付けて記憶していることを特徴とする請求項１１又は１２記載の通信情報提供システム。
【請求項１４】
複数のアクセスポイントを有する無線ＬＡＮ通信手段と、携帯電話通信網と、これら無線ＬＡＮ通信手段と無線通信しかつ携帯電話通信網を介して無線通信する複数の携帯端末とを含む通信情報提供システムの通信情報提供方法において、
上記無線ＬＡＮ通信手段の各アクセスポイントが、上記アクセスポイントを識別するためのアクセスポイント識別子と該アクセスポイントから供給される固有情報とを通信領域内に存在する第１の携帯端末へ送信するステップと、
上記第１の携帯端末が、各アクセスポイントからの、上記アクセスポイント識別子及び固有情報の受信に基づいて、第２の携帯端末から予め受けた所望情報に該当する所望固有情報を、携帯電話通信網を介して第２の携帯端末に送信するステップとを含むことを特徴とする通信情報提供システムの通信情報提供方法。
【請求項１５】
情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システムの通信情報提供方法において、
無線ＬＡＮ通信手段の各アクセスポイントが、上記アクセスポイントを識別するためのアクセスポイント識別子と、該アクセスポイントの通信領域内に存在する第１の携帯端末との通信時における認証済ＩＤとを上記情報サーバへ送信するステップと、
上記情報サーバが、各アクセスポイントからの、該アクセスポイントの通信領域内に存在する第１の携帯端末との通信時における認証済ＩＤの受信に基づいて、第２の携帯端末から予め受けた所望情報に該当する所望固有情報を、インターネット及び携帯電話通信網を介して第２の携帯端末に送信するステップとを含むことを特徴とする通信情報提供システムの通信情報提供方法。
【請求項１６】
情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システムの通信情報提供方法において、
無線ＬＡＮ通信手段の各アクセスポイントが、上記アクセスポイントを識別するためのアクセスポイント識別子と、該アクセスポイントの通信領域内に存在する第１の携帯端末との通信時における認証済ＩＤとを上記情報サーバへ送信するステップと、
上記情報サーバが、いずれかのアクセスポイントからの、上記アクセスポイントの通信領域内に存在する第１の携帯端末との通信時における認証済ＩＤの受信に基づいて、予め認証用ＩＤ及び所望情報を受けた第２の携帯端末に対して、各アクセスポイントの固有情報における全てを、インターネット及び携帯電話通信網を介して第２の携帯端末に送信するステップとを含むことを特徴とする通信情報提供システムの通信情報提供方法。
【請求項１７】
請求項１〜１３のいずれか１項に記載の通信情報提供システムを動作させる通信情報提供プログラムであって、コンピュータを上記通信情報提供システムの各手段として機能させるための通信情報提供プログラム。
【請求項１８】
請求項１７に記載の通信情報提供プログラムを記録したコンピュータ読み取り可能な記録媒体。
【請求項１９】
請求項１〜５のいずれか１項に記載の通信情報提供システムを構成する携帯端末であって、前記所望情報提供手段を備えていることを特徴とする携帯端末。
【請求項２０】
請求項６〜１３のいずれか１項に記載の通信情報提供システムを構成する情報サーバであって、前記所望情報提供手段を備えていることを特徴とする情報サーバ。
【発明の詳細な説明】
【技術分野】
【０００１】
本発明は、情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システム、その通信情報提供方法、携帯端末、情報サーバ、通信情報提供プログラム及び記録媒体に関するものである。
【背景技術】
【０００２】
近年、ホットスポット（登録商標）・ビジネスが注目を浴びている。ここで、「ホットスポット（登録商標）・サービス」とは、駅構内や喫茶店等、人が集まったり休んだりする場所で、無線ＬＡＮ（Local Area Network）によるインターネット接続サービスを提供することである。こういったサービスが見られるようになったのはつい最近のことだが、米国等では日本に先行する形で、空港やスターバックスのような喫茶店を中心に、既に事業展開が進んでいる。
【０００３】
このような無線ＬＡＮによるインターネット接続サービスを受ける技術として、例えば、特許文献１では、図１４に示すように、消費者が所持する携帯電話等の携帯型の情報端末に広告等の情報を簡単に取得させる方法を提供すべく、所定の場所に設けられた情報提供装置１１０における広告等のローカル情報１１１を確認するために、携帯電話１２０から所望情報提供装置１１０に対してこの所望情報提供装置１１０の無線ＬＡＮ通信装置１１２を介してアクセスすることにより、このローカル情報１１１を携帯電話１２０の表示画面にて見ることができるようになっている。
【０００４】
ここで、上記の例では無線ＬＡＮ通信装置１１２を含む所望情報提供装置１１０が、上述のホットスポットに該当する。
【特許文献１】特開２００４−１０２５５７号公報（平成１６年４月２日公開）
【特許文献２】特開２００３−２７４４４０号公報（平成１５年９月２６日公開）
【発明の開示】
【発明が解決しようとする課題】
【０００５】
しかしながら、上記従来の通信情報提供システムでは、以下の問題点を有している。
【０００６】
すなわち、従来、携帯電話等の携帯端末で基地局や無線ホットスポット（登録商標）から入手した情報について、他の一つ以上の携帯端末にてその情報を入手可能とするためには、特許文献２に開示されているように、その情報が同一ネットワーク上のサーバに存在することが前提となっている。すなわち、図１５に示すように、別の複数の携帯端末２００…から、例えば、基地局２０１、及びインターネットのネットワーク２０２を介してインターネットのネットワーク２０３のサーバ２０４にアクセスすることによって、情報入手が可能となっていた。
【０００７】
したがって、前記特許文献１のように、所定の場所に設けられた所望情報提供装置１１０から無線ＬＡＮ接続された周辺の１つの携帯電話１２０に向けて提供された広告等のローカル情報１１１については、無線ＬＡＮ接続されていない他の携帯端末ではそのローカル情報１１１を取得することができなかった。
【０００８】
一方、この問題に対して、特許文献１では、赤外通信又はブルートゥース（登録商標）等の近距離無線を用いて携帯端末１２０同士で、直接得られた情報を提供する方法が開示されているが、離れた場所にある別の携帯端末へ直ちに情報を提供することが行えないという問題点を有している。
【０００９】
本発明は、上記従来の問題点に鑑みなされたものであって、その目的は、無線ＬＡＮの各アクセスポイントに接続される携帯端末にて入手可能な固有情報を無線ＬＡＮ領域外の他の携帯端末でも入手し得る通信情報提供システム、その通信情報提供方法、携帯端末、情報サーバ、通信情報提供プログラム及び記録媒体を提供することにある。
【課題を解決するための手段】
【００１０】
本発明の通信情報提供システムは、上記課題を解決するために、複数のアクセスポイントを有する無線ＬＡＮ通信手段と、携帯電話通信網と、これら無線ＬＡＮ通信手段と無線通信しかつ携帯電話通信網を介して無線通信する複数の携帯端末とを含む通信情報提供システムにおいて、上記無線ＬＡＮ通信手段の各アクセスポイントは、上記アクセスポイントを識別するためのアクセスポイント識別子と該アクセスポイントから供給される固有情報とを通信領域内に存在する第１の携帯端末へ送信する送信制御手段を備える一方、上記第１の携帯端末は、各アクセスポイントからの、上記アクセスポイント識別子及び固有情報の受信に基づいて、第２の携帯端末から予め受けた所望情報に該当する所望固有情報を、携帯電話通信網を介して第２の携帯端末に送信する所望情報提供手段を備えていること特徴としている。
【００１１】
また、本発明の通信情報提供システムの通信情報提供方法は、上記課題を解決するために、複数のアクセスポイントを有する無線ＬＡＮ通信手段と、携帯電話通信網と、これら無線ＬＡＮ通信手段と無線通信しかつ携帯電話通信網を介して無線通信する複数の携帯端末とを含む通信情報提供システムの通信情報提供方法において、上記無線ＬＡＮ通信手段の各アクセスポイントが、上記アクセスポイントを識別するためのアクセスポイント識別子と該アクセスポイントから供給される固有情報とを通信領域内に存在する第１の携帯端末へ送信するステップと、上記第１の携帯端末が、各アクセスポイントからの、上記アクセスポイント識別子及び固有情報の受信に基づいて、第２の携帯端末から予め受けた所望情報に該当する所望固有情報を、携帯電話通信網を介して第２の携帯端末に送信するステップとを含むことを特徴としている。
【００１２】
上記の発明によれば、無線ＬＡＮ通信手段の各アクセスポイントでは、送信制御手段が、アクセスポイントを識別するためのアクセスポイント識別子と該アクセスポイントから供給される固有情報とを通信領域内に存在する第１の携帯端末へ送信する。
【００１３】
そして、第１の携帯端末に設けられた所望情報提供手段は、各アクセスポイントからの、上記アクセスポイント識別子及び固有情報の受信に基づいて、上記アクセスポイントの通信領域外に存在する第２の携帯端末から予め受けた所望情報に該当する所望固有情報を、携帯電話通信網を介して第２の携帯端末に送信する。
【００１４】
したがって、第１の携帯端末に所望情報提供手段を備えることにより、各アクセスポイントが設置された周辺の第１の携帯端末に向けて提供された固有情報を、離れた場所の別の第２の携帯端末と共有できるようになる。
【００１５】
また、これにより、アクセスポイントの通信領域に限定された固有情報から所望する固有情報を提供された別の第２の携帯端末の利用者は、直接情報提供を受けた第１の携帯端末の利用者へ、得られた所望する固有情報に基づく指示を行うことが可能となる。
【００１６】
また、本発明の通信情報提供システムは、上記記載の通信情報提供システムにおいて、前記各アクセスポイントの送信制御手段は、第１の携帯端末との通信を行うときに通信相手の認証を行う認証手段と、前記アクセスポイント識別子及び固有情報を記憶する提供用固有情報記憶手段とを有していることを特徴としている。
【００１７】
上記の発明によれば、各アクセスポイントには、通信相手の認証を行う認証手段だけでなく、アクセスポイント識別子及び固有情報を記憶する提供用固有情報記憶手段が設けられている。
【００１８】
したがって、各アクセスポイントは無線ＬＡＮ通信手段の情報サーバから逐一固有情報を受信する必要がないので、第１の携帯端末は、各アクセスポイントから迅速に固有情報を取得することができる。
【００１９】
また、本発明の通信情報提供システムは、上記記載の通信情報提供システムにおいて、前記第１の携帯端末の所望情報提供手段は、各アクセスポイントからアクセスポイント識別子及び固有情報を受信する受信手段と、前記第２の携帯端末から受信した、上記第２の携帯端末を特定するための携帯端末識別子と所望する固有情報の種別を示す所望情報種別識別子とを関連付けて記憶する所望情報記憶手段と、上記アクセスポイントから受信手段にて受信した、アクセスポイント識別子と固有情報とを関連付けて記憶する固有情報記憶手段と、上記固有情報記憶手段に記憶された固有情報の中に所望情報記憶手段に記憶された所望情報種別識別子と一致又は類似するものがあるか否かを判断する判断手段と、
上記固有情報の中に所望情報種別識別子と一致又は類似するものがあるときに、上記固有情報記憶手段に記憶された固有情報を携帯電話通信網にて送信すべく送信処理する情報処理手段と、上記情報処理手段の出力を、携帯電話通信網を介して上記第２の携帯端末に送信する送信手段とを備えていることを特徴としている。
【００２０】
上記の発明によれば、アクセスポイント識別子により、第２の携帯端末では、どのアクセスポイントに限定された情報かを識別することができる。また、携帯端末識別子により、固有情報を入手した携帯端末と固有情報を所望する携帯端末とを識別できる。さらに、所望情報種別識別子により、アクセスポイントから提供される固有情報から必要な情報を選択することができる。
【００２１】
また、本発明の通信情報提供システムは、上記記載の通信情報提供システムにおいて、前記第１の携帯端末の所望情報提供手段は、前記情報処理手段の出力を前記送信手段に入力するか否かを判定する判定手段を備えていることを特徴としている。
【００２２】
上記の発明によれば、判定手段は、情報処理手段の出力を前記送信手段に入力するか否かを判定するので、送信すべきでない固有情報の送信を停止することができる。
【００２３】
また、本発明の通信情報提供システムは、上記記載の通信情報提供システムにおいて、前記第１の携帯端末の所望情報提供手段は、前記アクセスポイント識別子と該アクセスポイントから供給される固有情報とを前記アクセスポイントから受信手段にて受信したときの時刻を計測する計時手段を備え、上記第１の携帯端末における所望情報提供手段の固有情報記憶手段は、上記アクセスポイントから受信手段にて受信した、アクセスポイント識別子及び該アクセスポイントから供給される固有情報と、これらアクセスポイント識別子及び該アクセスポイントから供給される固有情報を受信したときの時刻とを関連付けて記憶していることを特徴としている。
【００２４】
上記の発明によれば、第１の携帯端末がアクセスポイントからアクセスポイント識別子及び固有情報を受信したときの時刻により、所望する固有情報の有効時間を判断できる。また、これらを関連させることによって、第１の携帯端末は、第２の携帯端末が所望する固有情報に時刻情報を付けて転送することが可能となる。
【００２５】
また、本発明の通信情報提供システムは、上記課題を解決するために、情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システムにおいて、無線ＬＡＮ通信手段の各アクセスポイントは、上記アクセスポイントを識別するためのアクセスポイント識別子と、該アクセスポイントの通信領域内に存在する第１の携帯端末との通信時における認証済ＩＤとを上記情報サーバへ送信する送信制御手段を備える一方、上記情報サーバは、各アクセスポイントからの、上記アクセスポイントの通信領域内に存在する第１の携帯端末との通信時における認証済ＩＤの受信に基づいて、第２の携帯端末から予め受けた所望情報に該当する所望固有情報を、インターネット及び携帯電話通信網を介して第２の携帯端末に送信する所望情報提供手段を備えていること特徴としている。
【００２６】
また、本発明の通信情報提供システムの通信情報提供方法は、上記課題を解決するために、情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システムの通信情報提供方法において、無線ＬＡＮ通信手段の各アクセスポイントが、上記アクセスポイントを識別するためのアクセスポイント識別子と、該アクセスポイントの通信領域内に存在する第１の携帯端末との通信時における認証済ＩＤとを上記情報サーバへ送信するステップと、上記情報サーバが、各アクセスポイントからの、該アクセスポイントの通信領域内に存在する第１の携帯端末との通信時における認証済ＩＤの受信に基づいて、第２の携帯端末から予め受けた所望情報に該当する所望固有情報を、インターネット及び携帯電話通信網を介して第２の携帯端末に送信するステップとを含むことを特徴としている。
【００２７】
上記の発明によれば、無線ＬＡＮ通信手段の各アクセスポイントでは、送信制御手段が、アクセスポイントを識別するためのアクセスポイント識別子と、該アクセスポイントの通信領域内に存在する第１の携帯端末との通信時における認証済ＩＤとを情報サーバへ送信する。
【００２８】
そして、情報サーバに設けられた所望情報提供手段は、各アクセスポイントからの、上記アクセスポイントの通信領域内に存在する第１の携帯端末との通信時における認証済ＩＤの受信に基づいて、該アクセスポイントの通信領域外に存在する第２の携帯端末から予め受けた所望情報に該当する所望固有情報を、インターネット及び携帯電話通信網を介して第２の携帯端末に送信する。
【００２９】
したがって、情報サーバに所望情報提供手段を備えることにより、第１の携帯端末が各アクセスポイントの通信領域に入ったときに、情報サーバは離れた場所の別の第２の携帯端末に各アクセスポイントの通信領域内の固有情報を直接送ることができる。
【００３０】
また、これにより、無線ＬＡＮ通信手段の通信領域に限定された固有情報から所望する固有情報を提供された別の第２の携帯端末の利用者は、第１の携帯端末の利用者へ、得られた所望する固有情報に基づく指示を行うことが可能となる。
【００３１】
また、本発明の通信情報提供システムは、上記記載の通信情報提供システムにおいて、前記情報サーバの所望情報提供手段は、前記第２の携帯端末から予め受信した、認証用ＩＤと上記第２の携帯端末を特定するための携帯端末識別子と所望する固有情報の種別を示す所望情報種別識別子とを関連付けて記憶する所望情報記憶手段と、各アクセスポイントからの、該アクセスポイントの通信領域内に存在する第１の携帯端末との通信時における認証済ＩＤと上記アクセスポイント識別子とを受信する受信手段と、上記受信手段にて受信した認証済ＩＤを記憶すると共に、各アクセスポイントの通信領域における固有情報と該アクセスポイントを識別するためのアクセスポイント識別子とを関連付けて記憶する提供用固有情報記憶手段と、上記提供用固有情報記憶手段に記憶された上記認証済ＩＤと、所望情報記憶手段に記憶された認証用ＩＤとが一致するか否かを判断するＩＤ判断手段と、上記ＩＤ判断手段により、上記提供用固有情報記憶手段に記憶された上記認証済ＩＤと、所望情報記憶手段に記憶された認証用ＩＤとが一致すると判断されたときに、上記提供用固有情報記憶手段に記憶された固有情報の中に、上記所望情報記憶手段に記憶された所望情報種別識別子と一致又は類似するものがあるか否かを判断する情報判断手段と、上記情報判断手段により、上記提供用固有情報記憶手段に記憶されたアクセスポイント識別子及び固有情報の中に、上記所望情報記憶手段に記憶された所望情報種別識別子と一致又は類似するものがあると判断されたときに、上記提供用固有情報記憶手段に記憶された固有情報をインターネット及び携帯電話通信網を介して送信すべく送信処理する情報処理手段と、上記情報処理手段の出力をインターネット及び携帯電話通信網を介して上記第２の携帯端末を特定するための携帯端末識別子に基づき第２の携帯端末に送信する送信手段とを備えていることを特徴としている。
【００３２】
上記の発明によれば、アクセスポイント識別子により、第２の携帯端末では、どのアクセスポイントに限定された情報かを識別することができる。また、第２の携帯端末では、アクセスポイント識別子及び所望情報種別識別子により、無線ＬＡＮ通信手段の情報サーバから提供される所望するアクセスポイントの通信領域内の所望する固有情報を入手することができる。
【００３３】
また、本発明の通信情報提供システムは、上記記載の通信情報提供システムにおいて、前記情報サーバの所望情報提供手段は、前記情報処理手段の出力を前記送信手段に入力するか否かを判定する判定手段を備えていることを特徴としている。
【００３４】
上記の発明によれば、判定手段は、情報処理手段の出力を前記送信手段に入力するか否かを判定するので、送信すべきでない固有情報の送信を停止することができる。
【００３５】
また、本発明の通信情報提供システムは、上記記載の通信情報提供システムにおいて、前記情報サーバの所望情報提供手段は、前記認証済ＩＤを受信したときの時刻を計測する計時手段を備え、上記情報サーバにおける所望情報提供手段の前記提供用固有情報記憶手段は、前記認証済ＩＤを受信した時刻と、該受信時のアクセスポイントを識別するためのアクセスポイント識別子とを関連付けて記憶していることを特徴としている。
【００３６】
上記の発明によれば、情報サーバが認証済ＩＤを受信したときの時刻により、所望する固有情報の有効時間を判断できる。また、認証済ＩＤを受信したときの時刻、及び該受信時のアクセスポイントを識別するためのアクセスポイント識別子を関連させることによって、情報サーバは、受信時のアクセスポイントを識別するためのアクセスポイント識別子に時刻情報を付けて転送することが可能となる。
【００３７】
また、本発明の通信情報提供システムは、上記課題を解決するために、情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システムにおいて、無線ＬＡＮ通信手段の各アクセスポイントは、上記アクセスポイントを識別するためのアクセスポイント識別子と、該アクセスポイントの通信領域内に存在する第１の携帯端末との通信時における認証済ＩＤとを上記情報サーバへ送信する送信制御手段を備える一方、上記情報サーバは、いずれかのアクセスポイントからの、上記アクセスポイントの通信領域内に存在する第１の携帯端末との通信時における認証済ＩＤの受信に基づいて、予め認証用ＩＤ及び所望情報を受けた第２の携帯端末に対して、各アクセスポイントの固有情報における全てを、インターネット及び携帯電話通信網を介して第２の携帯端末に送信する所望情報提供手段を備えていることを特徴としている。
【００３８】
また、本発明の通信情報提供システムの通信情報提供方法は、上記課題を解決するために、情報サーバ及びこの情報サーバに接続される複数のアクセスポイントを有する無線ＬＡＮ通信手段と、この無線ＬＡＮ通信手段に接続されるインターネットと、携帯電話通信網と、これら無線ＬＡＮ通信手段と無線通信しかつ携帯電話通信網を介して無線通信する複数の携帯端末とを含む通信情報提供システムの通信情報提供方法において、無線ＬＡＮ通信手段の各アクセスポイントが、上記アクセスポイントを識別するためのアクセスポイント識別子と、該アクセスポイントの通信領域内に存在する第１の携帯端末との通信時における認証済ＩＤとを上記情報サーバへ送信するステップと、上記情報サーバが、いずれかのアクセスポイントからの、上記アクセスポイントの通信領域内に存在する第１の携帯端末との通信時における認証済ＩＤの受信に基づいて、予め認証用ＩＤ及び所望情報を受けた第２の携帯端末に対して、各アクセスポイントの固有情報における全てを、インターネット及び携帯電話通信網を介して第２の携帯端末に送信するステップとを含むことを特徴としている。
【００３９】
上記の発明によれば、無線ＬＡＮ通信手段の各アクセスポイントでは、送信制御手段が、アクセスポイントを識別するためのアクセスポイント識別子と、該アクセスポイントの通信領域内に存在する第１の携帯端末との通信時における認証済ＩＤとを情報サーバへ送信する。
【００４０】
そして、情報サーバに設けられた所望情報提供手段は、いずれかのアクセスポイントからの、上記アクセスポイントの通信領域内に存在する第１の携帯端末との通信時における認証済ＩＤの受信に基づいて、全ての固有情報を、インターネット及び携帯電話通信網を介して第２の携帯端末に送信する。
【００４１】
したがって、情報サーバに所望情報提供手段を備えることにより、第１の携帯端末がいずれかのアクセスポイントの通信領域に入ったときに、情報サーバは離れた場所の別の第２の携帯端末に全ての固有情報を直接送ることができる。
【００４２】
また、これにより、無線ＬＡＮ通信手段の通信領域に限定された固有情報から所望する固有情報を提供された別の第２の携帯端末の利用者は、得られた全ての固有情報から所望する固有情報を選択して、第１の携帯端末の利用者へ、その所望する固有情報に基づく指示を行うことが可能となる。
【００４３】
また、本発明の通信情報提供システムは、上記記載の通信情報提供システムにおいて、前記情報サーバの所望情報提供手段は、前記第２の携帯端末から予め受信した、認証用ＩＤと上記第２の携帯端末を特定するための携帯端末識別子と所望する固有情報の種別を示す所望情報種別識別子とを関連付けて記憶する所望情報記憶手段と、各アクセスポイントからの、該アクセスポイントの通信領域内に存在する第１の携帯端末との通信時における認証済ＩＤと上記アクセスポイント識別子とを受信する受信手段と、上記受信手段にて受信した認証済ＩＤを記憶すると共に、各アクセスポイントの通信領域における固有情報と該アクセスポイントを識別するためのアクセスポイント識別子とを関連付けて記憶する提供用固有情報記憶手段と、上記提供用固有情報記憶手段に記憶された上記認証済ＩＤと、所望情報記憶手段に記憶された認証用ＩＤとが一致するか否かを判断するＩＤ判断手段と、上記ＩＤ判断手段により、上記提供用固有情報記憶手段に記憶された上記認証済ＩＤと、所望情報記憶手段に記憶された認証用ＩＤとが一致すると判断されたときに、上記提供用固有情報記憶手段に記憶された全ての固有情報をインターネット及び携帯電話通信網を介して送信すべく送信処理する情報処理手段と、上記情報処理手段の出力をインターネット及び携帯電話通信網を介して上記第２の携帯端末を特定するための携帯端末識別子に基づき第２の携帯端末に送信する送信手段とを備えていることを特徴としている。
【００４４】
上記の発明によれば、アクセスポイント識別子により、第２の携帯端末では、どのアクセスポイントに限定された情報かを識別することができる。また、第２の携帯端末では、アクセスポイント識別子及び所望情報種別識別子により、無線ＬＡＮ通信手段の情報サーバから提供される全ての固有情報から所望する固有情報を選択することができる。
【００４５】
また、本発明の通信情報提供システムは、上記記載の通信情報提供システムにおいて、前記情報サーバの所望情報提供手段は、前記情報処理手段の出力を前記送信手段に入力するか否かを判定する判定手段を備えていることを特徴としている。
【００４６】
上記の発明によれば、判定手段は、情報処理手段の出力を前記送信手段に入力するか否かを判定するので、送信すべきでない固有情報の送信を停止することができる。
【００４７】
また、本発明の通信情報提供システムは、上記記載の通信情報提供システムにおいて、  前記情報サーバの所望情報提供手段は、前記認証済ＩＤを受信したときの時刻を計測する計時手段を備え、上記情報サーバにおける所望情報提供手段の前記提供用固有情報記憶手段は、前記認証済ＩＤを受信した時刻と、該受信時のアクセスポイントを識別するためのアクセスポイント識別子とを関連付けて記憶していることを特徴としている。
【００４８】
上記の発明によれば、情報サーバが認証済ＩＤを受信したときの時刻により、所望する固有情報の有効時間を判断できる。また、認証済ＩＤを受信したときの時刻、及び該受信時のアクセスポイントを識別するためのアクセスポイント識別子を関連させることによって、情報サーバは、受信時のアクセスポイントを識別するためのアクセスポイント識別子に時刻情報を付けて転送することが可能となる。
【００４９】
また、本発明の通信情報提供プログラムは、上記課題を解決するために、コンピュータを上記通信情報提供システムの各手段として機能させるための通信情報提供プログラムである。
【００５０】
上記の発明により、コンピュータで上記通信情報提供プログラムの各手段を実現することによって、上記通信情報提供プログラムを実現することができる。
【００５１】
また、本発明の記録媒体は、上記の各手段をコンピュータに実現させて、上記通信情報提供システムを動作させる通信情報提供プログラムを記録したコンピュータ読み取り可能な記録媒体である。
【００５２】
上記の発明により、上記記録媒体から読み出された通信情報提供プログラムによって、上記通信情報提供システムをコンピュータ上に実現することができる。
【００５３】
また、本発明の携帯端末は、上記記載の通信情報提供システムを構成する携帯端末であって、前記所望情報提供手段を備えている。
【００５４】
また、本発明の情報サーバは、上記記載の通信情報提供システムを構成する携帯端末であって、前記所望情報提供手段を備えている。
【００５５】
したがって、無線ＬＡＮの各アクセスポイントに接続される携帯端末にて入手可能な固有情報を無線ＬＡＮ領域外の他の携帯端末でも入手し得る携帯端末及び情報サーバを提供することができる。
【発明の効果】
【００５６】
本発明の通信情報提供システム及びその通信情報提供方法は、以上のように、無線ＬＡＮ通信手段の各アクセスポイントは、上記アクセスポイントを識別するためのアクセスポイント識別子と該アクセスポイントから供給される固有情報とを通信領域内に存在する第１の携帯端末へ送信する送信制御手段を備える一方、上記第１の携帯端末は、各アクセスポイントからの、上記アクセスポイント識別子及び固有情報の受信に基づいて、上記アクセスポイントの通信領域外に存在する第２の携帯端末から予め受けた所望情報に該当する所望固有情報を、携帯電話通信網を介して第２の携帯端末に送信する所望情報提供手段を備えている。
【００５７】
また、本発明の通信情報提供システム及びその通信情報提供方法は、以上のように、無線ＬＡＮ通信手段の各アクセスポイントは、上記アクセスポイントを識別するためのアクセスポイント識別子と、該アクセスポイントの通信領域内に存在する第１の携帯端末との通信時における認証済の認証用ＩＤとを上記情報サーバへ送信する送信制御手段を備える一方、上記情報サーバは、各アクセスポイントからの、上記アクセスポイントの通信領域内に存在する第１の携帯端末との通信時における認証済ＩＤの受信に基づいて、該アクセスポイントの通信領域外に存在する第２の携帯端末から予め受けた所望情報に該当する所望固有情報を、インターネット及び携帯電話通信網を介して第２の携帯端末に送信する所望情報提供手段を備えている。
【００５８】
また、本発明の通信情報提供システム及びその通信情報提供方法は、以上のように、無線ＬＡＮ通信手段の各アクセスポイントは、上記アクセスポイントを識別するためのアクセスポイント識別子と、該アクセスポイントの通信領域内に存在する第１の携帯端末との通信時における認証済ＩＤとを上記情報サーバへ送信する送信制御手段を備える一方、上記情報サーバは、いずれかのアクセスポイントからの、上記アクセスポイントの通信領域内に存在する第１の携帯端末との通信時における認証済ＩＤの受信に基づいて、アクセスポイントの通信領域外に存在する、予め認証用ＩＤ及び所望情報を受けた第２の携帯端末に対して、各アクセスポイント毎の固有情報における全てを、インターネット及び携帯電話通信網を介して第２の携帯端末に送信する所望情報提供手段を備えている。
【００５９】
それゆえ、無線ＬＡＮの各アクセスポイントに接続される携帯端末にて入手可能な固有情報を無線ＬＡＮ領域外の他の携帯端末でも入手し得る通信情報提供システム、その通信情報提供方法、携帯端末、情報サーバ、通信情報提供プログラム及び記録媒体を提供することができるという効果を奏する。
【発明を実施するための最良の形態】
【００６０】
〔実施の形態１〕
本発明の一実施形態について図１ないし図６に基づいて説明すれば、以下の通りである。
【００６１】
本実施の形態の通信情報提供システムでは、図１に示すように、例えばスーパーマーケットＡ店に設けられた無線ＬＡＮ通信手段としての無線ＬＡＮ接続サービス装置１０は、１台のショップサーバ１と、缶詰コーナ又は生鮮食料品コーナ等の各コーナ２に設けられた無線ＬＡＮ（Local Area Network）のいわゆるホットスポット（登録商標）であるアクセスポイント（Access Point）としてのサービスＡＰ３とを備えている。各サービスＡＰ３は上記ショップサーバ１に有線ＬＡＮにて接続されている。本実施の形態では、各サービスＡＰ３の無線ＬＡＮの接続領域は、略各コーナ２の領域内に対応している。
【００６２】
本実施の形態では、サービスＡＰ３は、図２に示すように、上記携帯電話ａと無線通信を行うための無線通信制御部３１と、携帯電話ａの認証確認を行うための認証手段としての認証部３２と、上記各コーナ２の、例えば「お買い得情報」や「直送便情報」等の後述する固有情報としてのローカル情報４を格納するアクセスポイント固有情報記憶手段としてのローカル情報記憶部３３と、上記ショップサーバ１との有線通信を行うための有線通信制御部３４とを備えている。上記の無線通信制御部３１と認証部３２とローカル情報記憶部３３とが送信制御手段と有線通信制御部３４とは送信制御手段としての送信制御部３０を構成している。上記ローカル情報記憶部３３は、例えば、ＨＤＤ(Hard Disk Drive: ハード磁気ディスク装置)により構成される。
【００６３】
なお、サービスＡＰ３のローカル情報４は、ショップサーバ１の図示しない記憶装置に格納されているローカル情報４に基づいて定期的に更新されるようになっている。
【００６４】
これにより、図１に示すように、第１の携帯端末としての携帯電話ａを持つ者が、缶詰コーナに入ることにより缶詰コーナに設けられたサービスＡＰ３の通信領域内に入ると、サービスＡＰ３は、携帯電話ａに対して、缶詰コーナに設けられたサービスＡＰ３であることを識別するためのアクセスポイント識別子としてのサービスＡＰ識別子３ａと、このサービスＡＰ３から広告等のローカル情報４とを配信する。
【００６５】
ここで、上記携帯電話ａを持つ者が、上記無線ＬＡＮ接続サービス装置１０における無線ＬＡＮの通信領域内つまりホットスポット（登録商標）サービス内に今いるかどうかを知るためには、ホットスポット（登録商標）事業者（本実施の形態では、スーパーマーケットＡ店）が通知するサービスエリアの地図（本実施の形態では、各コーナ内）と、無線ＬＡＮ製品に一般的に付属される電解強度を示すソフトウェアによって、おおよそ知ることができる。
【００６６】
このソフトウェアは、ユーザが指定したＥＳＳ（Extended Service Set）ＩＤを送信する無線ＬＡＮチャネルの電解強度を表すものである。なお、サービスＡＰ３と携帯電話ａとの間のネットワークセキュリティ対策として、サービスＡＰ３は携帯電話ａとの間で認証（authentication）手順を行い、例えば、サービスＡＰ３と携帯電話ａとの間でＩＤを２ステップでやりとりするオープンシステム認証と、ＩＤを暗号化して４ステップで認証を行う共通鍵認証等が用いられる。実製品では「ＥＳＳ  ＩＤ」等の名称でグループの設定が行われる。
【００６７】
このＥＳＳＩＤがホットスポット（登録商標）事業者によって指定された場合、該ＥＳＳＩＤを電界強度を示すソフトウェアに設定すれば、その事業者のサービスエリア内にいるかどうか、おおよそわかる。なお、必ずしも「ＥＳＳ  ＩＤ」に限らず、無線ＬＡＮに通信を行う端末等の各機器にはＭＡＣアドレスという一意な番号が必ず割り当てられているので、携帯電話ａのＭＡＣアドレスを予めサービスＡＰ３に登録しておき、登録したＭＡＣアドレスと一致する携帯電話ａに通信の許可を行うことも可能である。
【００６８】
上述したサービスＡＰ３からのローカル情報４の配信によって、このローカル情報４を受け取った携帯電話ａは、例えば、自宅に存在する第２の携帯端末としての携帯電話ｂに対して、携帯電話通信網としての携帯電話網１２を介してメール等にて送信する。これにより、携帯電話ｂは無線ＬＡＮ接続サービス装置１０における無線ＬＡＮの接続領域外であっても、無線ＬＡＮ接続サービス装置１０の提供するローカル情報４を取得することができるようになる。
【００６９】
また、上記サービスＡＰ３は、上述した認証手順により携帯電話ａとの通信可能となった場合には、携帯電話ａに対して缶詰コーナのローカル情報４として、例えば、お買い得情報等の広告を送信する。
【００７０】
ところで、本実施の形態では、携帯電話ｂの所望するローカル情報４を、携帯電話ａがサービスＡＰ３から手に入れて携帯電話ｂに送信するための所望情報提供装置２０を携帯電話ａに備えている。すなわち、携帯電話ａに備えられた所望情報提供手段としての所望情報提供装置２０は、図３に示すように、受信手段としての受信部２１と、情報記憶部２２と、情報処理部２３と、送信部２４と、判断部２５と、所望情報記憶部２６とから構成されている。
【００７１】
上記受信部２１は、前記各サービスＡＰ３と無線ＬＡＮ通信制御部１１による通信を行うものであり、各サービスＡＰ３からアクセスポイント識別子及びローカル情報４を受信する。
【００７２】
上記のサービスＡＰ識別子３ａは、例えば、各コーナ２のサービスＡＰ３であることを示すデジタル表示又はテキスト表示等の識別子からなっている。具体的には、例えば、缶詰コーナのサービスＡＰ３であれば「Ｈｏｔ  Ｓｐｏｔ  Ｃ」や  「Ｈｏｔ  Ｓｐｏｔ  Ｃ  Ａ店缶詰コーナ」等であり、生鮮食料品コーナのサービスＡＰ３であれば「Ｈｏｔ  Ｓｐｏｔ  Ｆ」や  「Ｈｏｔ  Ｓｐｏｔ  Ｆ  Ａ店生鮮食料品コーナ」等である。
【００７３】
一方、上記のローカル情報４は、例えば、お買い得情報や直送便情報の具体的な内容である。具体的には、例えば、缶詰コーナであれば、お買い得情報「みかん缶詰８０円」等であり、生鮮食料品コーナであれば、直送便情報「鮭」等である。したがって、このローカル情報４は、ローカル情報４の種別を示す「お買い得情報」や「直送便情報」等のローカル情報識別子４ａと「みかん缶詰８０円」、「鮭」等の具体的情報とを含んだものからなっている。
【００７４】
上記情報記憶部２２は、サービスＡＰ３から受信部２１を経由して受信した、サービスＡＰ識別子３ａとローカル情報４とを関連付けて記憶する固有情報記憶手段としての機能を有している。
【００７５】
上記所望情報記憶部２６は、携帯電話ｂから携帯電話網１２を介して受信した、携帯電話ｂを特定するための携帯端末識別子としての携帯電話アドレス４１と所望する固有情報の種別を示す所望情報種別識別子とを関連付けて記憶する所望情報記憶手段としての機能を有している。上記携帯電話アドレス４１は、例えば電話番号である。また、所望情報種別識別子は、例えば、「お買い得情報」や「直送便情報」等の所望情報種別キーワード４２である。
【００７６】
上記判断部２５は、情報記憶部２２に記憶されたローカル情報４に含まれる固有情報の種別を示す「お買い得情報」や「直送便情報」等のローカル情報識別子４ａと、所望情報記憶部２６に記憶された所望情報種別キーワード４２とが一致するか否かを判断する判断手段としての機能を有している。
【００７７】
上記情報処理部２３は、ローカル情報識別子４ａと所望情報種別キーワード４２とが一致したときに、情報記憶部２２に記憶されたローカル情報４を携帯電話網１２にて送信すべく送信処理して送信部２４に出力する情報処理手段としての機能を有している。
【００７８】
また、上記送信部２４は、情報処理部２３からの出力情報を入力して、ローカル情報４を携帯電話ｂに送信する。
【００７９】
ここで、本実施の形態では、情報処理部２３と送信部２４との間に判断手段としての判定部２７を設けることが可能である。この判定部２７は、情報処理部２３にて出力したローカル情報４について、携帯電話ｂに送信してよいか否かを判定する。携帯電話ｂに送信しないローカル情報４とは、例えば、ローカル情報４に基づく商品が高額であり、携帯電話ｂに送信したくない場合等である。この判定部２７による判定は、例えば、携帯電話ａのユーザが、携帯電話ａの画面に表示されたローカル情報４のリストを見ながら、該ローカル情報４を送信するか否かの選択を入力操作することによって行うことができる。
【００８０】
また、本実施の形態では、さらに、携帯電話ａに計時手段としてのタイマ２８を設けることが可能である。このタイマ２８は、サービスＡＰ識別子３ａとサービスＡＰ３から供給されるローカル情報４とをサービスＡＰ３から受信部２１にて受信したときの時刻を計測するものである。本実施の形態では、情報記憶部２２は、上記サービスＡＰ識別子３ａ及びローカル情報４をサービスＡＰ３から受信したときの時刻と関連付けて記憶するようになっている。
【００８１】
上記構成の通信情報提供システムにおける動作について、図４〜図６に示すフローチャート及び図１に基づいて説明する。
【００８２】
先ず、携帯電話ａでは、図４に示すように、初期設定として、所望情報提供装置２０の所望情報記憶部２６に携帯電話ｂの携帯電話アドレス４１を予め記憶しておく（Ｓ１）。
【００８３】
一方、携帯電話ｂは、図１に示す「お買い得情報」や「直送直物」等の所望情報種別キーワード４２を、該携帯電話ｂに登録するとともに、この所望情報種別キーワード４２をメールにて携帯電話ａに携帯電話網１２を介して送信する。このとき、携帯電話ｂは自動的に自己の携帯電話ｂの携帯電話アドレス４１も送信する。
【００８４】
このメールを受信した携帯電話ａの所望情報提供装置２０は、図５に示すように、携帯電話ｂから所望情報種別識別子としての所望情報種別キーワード４２を受信したときに、この所望情報種別キーワード４２と携帯電話ａの携帯電話アドレス４１とを互いに関連付けて所望情報記憶部２６に記憶する（Ｓ１１）。
【００８５】
この状態で、携帯電話ａは、図１に示すように、スーパーマーケットＡ店の缶詰コーナに入店する。これにより、スーパーマーケットＡ店の缶詰コーナに設けられたサービスＡＰ３の通信領域内となる。携帯電話ａがサービスＡＰ３の通信領域内か否かは、例えば、携帯電話ａの図示しないアンテナの先端に設けたランプが点灯することによって認識できる。
【００８６】
したがって、携帯電話ａは、サービスＡＰ３に対して通信プロトコルに基づく接続要求を行う。このとき、サービスＡＰ３から携帯電話ａへは、例えば、同図に示すパケットフォーマットにて送信が行われる。これにより、図６に示すように、サービスＡＰ３は、携帯電話ａが登録された例えばＭＡＣアドレスを有するかの認証を行う（Ｓ２１）。
【００８７】
サービスＡＰ３は、認証確認が取れれば、携帯電話ａに対して、缶詰コーナの「お買い得情報」等のローカル情報４を送信する。これにより、携帯電話ａは、情報記憶部２２にローカル情報４を缶詰コーナのサービスＡＰ３と関連付けて記憶する（Ｓ２２）。このとき、サービスＡＰ３からローカル情報４を受信したときの時刻も合わせて関連付けて記憶することも可能である。
【００８８】
次いで、所望情報提供装置２０は、判断部２５にて、ローカル情報４の中に所望情報種別キーワード４２が含まれるか否かを判断する（Ｓ２３）。
【００８９】
ローカル情報４の中に所望情報種別キーワード４２が含まれるものがある場合には、携帯電話ａは、情報処理部２３にて、当該ローカル情報４を、送信を行う携帯電話ａの携帯電話アドレス４１と、それを受信する携帯電話ｂの携帯電話アドレス４１とを関連づけて送信すべく、送信準備処理を行い、送信部２４に出力する（Ｓ２４）。
【００９０】
次いで、例えば、判定部２７で、送信してよいかの判定を行った後（Ｓ２５）、送信部２４から携帯電話網１２を介して携帯電話ｂにメール送信する。このときの携帯電話ａから携帯電話ｂへは、例えば、図１に示すパケットフォーマットにて送信が行われる。
【００９１】
これにより、携帯電話ｂは、図１に示すように、缶詰コーナにおける「お買い得情報」を知ることができる。
【００９２】
一方、同図に示すように、携帯電話ａを持ったユーザが缶詰コーナから生鮮食糧品コーナに移動すると、生鮮食糧品コーナのサービスＡＰ３の通信領域内となる。このとき、生鮮食糧品コーナのサービスＡＰ３は、前述と同様に、携帯電話ａとの認証を行い、認証確認が取れれば、図６に示すＳ２１〜Ｓ２５の処理を行い、図１に示すように、生鮮食糧品コーナの直送便が「鮭」であることを知ることができる。
【００９３】
これにより、携帯電話ｂは携帯電話ａに対して、「鮭１尾買って来て」等のメール送信を行うことができる。
【００９４】
このように、本実施の形態の通信情報提供システム及びその通信情報提供方法では、無線ＬＡＮ接続サービス装置１０の各サービスＡＰ３では、送信制御部３０が、サービスＡＰ３を識別するためのサービスＡＰ識別子３ａと該サービスＡＰ３から供給されるローカル情報４とを通信領域内に存在する携帯電話ａへ送信する。
【００９５】
そして、携帯電話ａに設けられた所望情報提供装置２０は、各アクセスポイントからの、上記サービスＡＰ識別子３ａ及びローカル情報の受信に基づいて、上記アクセスポイントの通信領域外に存在する第２の携帯端末から予め受けた所望情報に該当する所望固有情報を、携帯電話通信網を介して第２の携帯端末に送信する。
【００９６】
したがって、携帯電話ａに所望情報提供装置２０を備えることにより、各サービスＡＰ３が設置された周辺の携帯電話ａに向けて提供されたローカル情報４を、離れた場所の別の携帯電話ｂと共有できるようになる。
【００９７】
また、これにより、サービスＡＰ３の通信領域に限定されたローカル情報４から所望するローカル情報４を提供された別の携帯電話ｂの利用者は、直接情報提供を受けた携帯電話ａの利用者へ、得られた所望するローカル情報４に基づく指示を行うことが可能となる。
【００９８】
また、本実施の形態の通信情報提供システム及びその通信情報提供方法では、各サービスＡＰ３の送信制御部３０は、携帯電話ａとの通信を行うときに通信相手の認証を行う認証部３２と、サービスＡＰ識別子３ａ及びローカル情報４を記憶するローカル情報記憶部３３とを有している。
【００９９】
すなわち、各サービスＡＰ３には、通信相手の認証を行う認証部３２だけでなく、サービスＡＰ識別子３ａ及びローカル情報４を記憶するローカル情報記憶部３３が設けられている。
【０１００】
したがって、各サービスＡＰ３は無線ＬＡＮ接続サービス装置１０のショップサーバ１から逐一ローカル情報４を受信する必要がないので、携帯電話ａは、各サービスＡＰ３から迅速にローカル情報４を取得することができる。
【０１０１】
また、本実施の形態の通信情報提供システム及びその通信情報提供方法では、サービスＡＰ識別子３ａにより、携帯電話ｂでは、どのサービスＡＰ３に限定されたローカル情報４かを識別することができる。また、携帯電話アドレス４１により、ローカル情報４を入手した携帯電話ａとローカル情報４を所望する携帯電話ｂとを識別できる。さらに、所望情報種別キーワード４２により、サービスＡＰ３から提供されるローカル情報４から必要な情報を選択することができる。
【０１０２】
また、本実施の形態の通信情報提供システム及びその通信情報提供方法では、判定部２７は、情報処理部２３の出力を送信部２４に入力するか否かを判定するので、送信すべきでないローカル情報４の送信を停止することができる。
【０１０３】
また、本実施の形態の通信情報提供システム及びその通信情報提供方法では、タイマ２８が設けられているので、携帯電話ａがサービスＡＰ３からサービスＡＰ識別子３ａ及びローカル情報４を受信したときの時刻により、所望する固有情報の有効時間を判断できる。また、これらを関連させることによって、携帯電話ａは、携帯電話ｂが所望するローカル情報４に時刻情報を付けて転送することが可能となる。
【０１０４】
〔実施の形態２〕
本発明の他の実施の形態について図７ないし図１０に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１０５】
前記実施の形態１の通信情報提供システムでは、図１及び図２に示すように、無線ＬＡＮ通信手段としての無線ＬＡＮ接続サービス装置１０は、サービスＡＰ３にローカル情報記憶部３３を備え、このローカル情報記憶部３３に記憶されたローカル情報４を携帯電話ａに直接送信していた。しかし、必ずしもこれに限らず、例えば、情報サーバとしてのショップサーバ１の記憶装置から、携帯電話ｂにローカル情報４を直接送信することが可能である。
【０１０６】
すなわち、ショップサーバ１は、スーパーマーケットＡ店に設けられた無線ＬＡＮ通信手段としての無線ＬＡＮ接続サービス装置１０の中核をなすサーバであり、そのショップサーバ１の図示しない記憶装置には、図７に示すように、全コーナ２の売り場情報として、例えば「お買い得情報」や「直送便情報」等の固有情報としてのローカル情報４と、スーパーマーケットＡ店の顧客であることを示す予め登録された認証用ＩＤ５１と、情報を希望する携帯電話ｂの携帯電話アドレス４１とが記憶されている。
【０１０７】
そこで、本実施の形態の通信情報提供システムでは、同図に示すように、無線ＬＡＮ通信手段としての無線ＬＡＮ接続サービス装置５０は、前記無線ＬＡＮ接続サービス装置１０と同様にショップサーバ１と複数のサービスＡＰ３とを備えていると共に、ショップサーバ１は、その記憶装置に格納したローカル情報４を、直接、無線ＬＡＮ接続サービス装置５０の無線ＬＡＮ通信領域外の携帯電話ｂに送信することが可能となっている。そのためには、実施の形態１で述べた所望情報提供装置２０をショップサーバ１に設置しておくことによって、その目的が達成される。
【０１０８】
ここで、図３に示すように、本実施の形態の所望情報提供装置２０では、所望情報記憶手段としての所望情報記憶部２６は、携帯電話ｂから予め受信した、認証用ＩＤ５１と、携帯電話ｂを特定するための携帯電話アドレス４１と所望するローカル情報４の種別を示す所望情報種別キーワード４２とを関連付けて記憶する。
【０１０９】
また、受信手段としての受信部２１は、各サービスＡＰ３からの、該サービスＡＰ３の通信領域内に存在する携帯電話ａとの通信時における認証済ＩＤ５１ａとサービスＡＰ識別子３ａとを受信する。
【０１１０】
情報記憶部２２は、受信部２１にて受信した認証済ＩＤ５１ａを記憶すると共に、各サービスＡＰ３の通信領域におけるローカル情報４と該サービスＡＰ３を識別するためのサービスＡＰ識別子３ａとを関連付けて記憶する提供用固有情報記憶手段としての機能を有している。
【０１１１】
ＩＤ判断手段としての判断部２５は、情報記憶部２２に記憶された認証済ＩＤ５１ａと、所望情報記憶部２６に記憶された認証用ＩＤ５１とが一致するか否かを判断する。
【０１１２】
また、判断部２５は、情報記憶部２２に記憶された認証済ＩＤ５１ａと、所望情報記憶部２６に記憶された認証用ＩＤ５１とが一致すると判断されたときに、情報記憶部２２に記憶されたローカル情報４の中に、所望情報記憶部２６に記憶された所望情報種別キーワード４２と一致又は類似するものがあるか否かを判断する情報判断手段としての機能も有している。
【０１１３】
情報処理手段としての情報処理部２３は、判断部２５により、情報記憶部２２に記憶されたサービスＡＰ識別子３ａ及びローカル情報４の中に、所望情報記憶部２６に記憶された所望情報種別キーワード４２と一致又は類似するものがあると判断されたときに、情報記憶部２２に記憶されたローカル情報４をインターネット１３及び携帯電話網１２を介して送信すべく送信処理する。
【０１１４】
送信手段としての送信部２４は、情報処理部２３の出力をインターネット１３及び携帯電話網１２を介して携帯端末を特定するための携帯電話アドレス４１に基づき携帯電話ｂに送信する。
【０１１５】
ここで、本実施の形態では、情報処理部２３と送信部２４との間に判断手段としての判定部２７を設けることが可能である。この判定部２７は、情報処理部２３にて出力したローカル情報４について、携帯電話ｂに送信してよいか否かを判定する。
【０１１６】
なお、本実施の形態においても、さらに、所望情報提供装置２０に、計時手段としてのタイマ２８、及び判定手段としての判定部２７を設けることが可能である。
【０１１７】
上記構成の通信情報提供システムにおける動作について、図８〜図１０に示すフローチャート、図７及び図３に基づいて説明する。
【０１１８】
先ず、ショップサーバ１は、図８に示すように、初期設定として、情報記憶部２２に携帯電話ｂの携帯電話アドレス４１と、顧客ＩＤ５１と、全てのコーナ２のローカル情報４とを記憶しておく（Ｓ３１）。
【０１１９】
この状態で、携帯電話ｂは、図７に示す「お買い得情報」や「直送直物」等の所望情報種別キーワード４２及び認証用ＩＤ５１を、該携帯電話ｂに登録するとともに、これら所望情報種別キーワード４２及び認証用ＩＤ５１を携帯電話網１２及びインターネット１３を介してメールにてショップサーバ１に送信する。このとき、携帯電話ｂは自動的に自己の携帯電話ｂの携帯電話アドレス４１も送信する。
【０１２０】
このメールを受信したショップサーバ１の所望情報提供装置２０は、図９に示すように、携帯電話ｂから所望情報種別キーワード４２及び認証用ＩＤ５１を受信したときに、この所望情報種別キーワード４２と携帯電話ａの携帯電話アドレス４１及び認証用ＩＤ５１とを互いに関連付けて所望情報記憶部２６に記憶する（Ｓ４１）。
【０１２１】
一方、この状態で、携帯電話ａは、図７に示すように、スーパーマーケットＡ店の缶詰コーナに入店する。これにより、スーパーマーケットＡ店の缶詰コーナに設けられたサービスＡＰ３の通信領域内となる。
【０１２２】
したがって、携帯電話ａは、図１０に示すように、サービスＡＰ３に対して通信プロトコルに基づく接続要求を行うことにより、サービスＡＰ３は、携帯電話ａが登録された顧客ＩＤ５１を有するかの認証を行う（Ｓ５１）。
【０１２３】
サービスＡＰ３は、認証確認が取れれば、この認証済ＩＤ５１ａをショップサーバ１に送信する。これにより、ショップサーバ１の所望情報提供装置２０における図３に示す受信部２１はこの認証済ＩＤ５１ａを受信し、情報記憶部２２に記憶する（Ｓ５２）。
【０１２４】
次いで、所望情報提供装置２０の判断部２５は、情報記憶部２２に記憶した認証済ＩＤ５１ａと予め所望情報記憶部２６に記憶してある認証用ＩＤ５１とが一致するかを判断する（Ｓ５３）。そして、両者が一致すれば、判断部２５は続いてローカル情報４の中に所望情報種別キーワード４２が含まれるか否かを判断する（Ｓ５４）。
【０１２５】
ローカル情報４の中に所望情報種別キーワード４２が含まれるものがある場合には、ショップサーバ１は、情報処理部２３にて、当該ローカル情報４を、送信を行う携帯電話ａの携帯電話アドレス４１と、それを受信する携帯電話ｂの携帯電話アドレス４１とを関連づけて送信すべく、送信準備処理を行い、送信部２４に出力する（Ｓ５５）。
【０１２６】
次いで、例えば、判定部２７で、送信してよいかの判定を行った後（Ｓ５６）、送信部２４からインターネット１３及び携帯電話網１２を介して携帯電話ｂにメール送信する。
【０１２７】
これにより、携帯電話ｂは、図７に示すように、缶詰コーナにおける「お買い得情報」を知ることができる。
【０１２８】
一方、同図に示すように、携帯電話ａを持ったユーザが缶詰コーナから生鮮食糧品コーナに移動すると、生鮮食糧品コーナのサービスＡＰ３の通信領域内となる。このとき、生鮮食糧品コーナのサービスＡＰ３は、前述と同様に、携帯電話ａとの認証を行い、認証確認が取れれば、図１０に示すＳ５１〜Ｓ５６の処理を行い、図７に示すように、生鮮食糧品コーナの直送便が「鮭」であることを知ることができる。
【０１２９】
これにより、携帯電話ｂは携帯電話ａに対して、「鮭１尾買って来て」等のメール送信を行うことができる。
【０１３０】
このように、本実施の形態の通信情報提供システム及びその通信情報提供方法では、無線ＬＡＮ接続サービス装置５０の各サービスＡＰ３では、送信制御部３０が、サービスＡＰ３を識別するためのサービスＡＰ識別子３ａと、該サービスＡＰ３の通信領域内に存在する携帯電話ａとの通信時における認証済ＩＤ５１ａとをショップサーバ１へ送信する。
【０１３１】
そして、ショップサーバ１に設けられた所望情報提供装置２０は、各サービスＡＰ３からの、上記サービスＡＰ３の通信領域内に存在する携帯電話ａとの通信時における認証済ＩＤ５１ａの受信に基づいて、該サービスＡＰ３の通信領域外に存在する携帯電話ｂから受けた所望情報に該当するローカル情報４を、インターネット１３及び携帯電話網１２を介して携帯電話ｂに送信する。
【０１３２】
したがって、ショップサーバ１に所望情報提供装置２０を備えることにより、携帯電話ａが各サービスＡＰ３の通信領域に入ったときに、ショップサーバ１は離れた場所の別の携帯電話ｂに各サービスＡＰ３の通信領域内のローカル情報４を直接送ることができる。
【０１３３】
また、これにより、無線ＬＡＮ接続サービス装置５０の通信領域に限定されたローカル情報４から所望するローカル情報４を提供された別の携帯電話ｂの利用者は、携帯電話ａの利用者へ、得られた所望するローカル情報４に基づく指示を行うことが可能となる。
【０１３４】
また、本実施の形態の通信情報提供システム及びその通信情報提供方法では、サービスＡＰ識別子３ａにより、携帯電話ｂでは、どのサービスＡＰ３に限定された情報かを識別することができる。また、携帯電話ｂでは、サービスＡＰ識別子３ａ及び所望情報種別キーワード４２により、無線ＬＡＮ接続サービス装置５０のショップサーバ１から提供される所望するサービスＡＰ３の通信領域内の所望するローカル情報４を入手することができる。
【０１３５】
また、本実施の形態の通信情報提供システム及びその通信情報提供方法では、判定部２７は、情報処理部２３の出力を送信部２４に入力するか否かを判定するので、送信すべきでないローカル情報４の送信を停止することができる。
【０１３６】
また、本実施の形態の通信情報提供システム及びその通信情報提供方法では、ショップサーバ１が認証用ＩＤ５１を受信したときの時刻により、所望するローカル情報４の有効時間を判断できる。また、認証済ＩＤ５１ａを受信したときの時刻、及び該受信時のサービスＡＰ３を識別するためのサービスＡＰ識別子３ａを関連させることによって、ショップサーバ１は、受信時のサービスＡＰ３を識別するためのサービスＡＰ識別子３ａに時刻情報を付けて転送することが可能となる。
【０１３７】
〔実施の形態３〕
本発明の他の実施の形態について図１１〜図１３に基づいて説明すれば、以下の通りである。なお、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【０１３８】
前記実施の形態２の通信情報提供システムでは、図７に示すように、ショップサーバ１の記憶装置から、携帯電話ｂが所望するローカル情報４のみを携帯電話ｂに送信していた。
【０１３９】
しかし、ショップサーバ１は、必ずしも携帯電話ｂが所望するローカル情報４のみを携帯電話ｂに送信するのではなく、全てのコーナ２のローカル情報４を送信し、携帯電話ｂはそれを選択して表示させることが可能である。
【０１４０】
すなわち、本実施の形態の通信情報提供システムでは、図１１に示すように、無線ＬＡＮ通信手段としての無線ＬＡＮ接続サービス装置６０は、前記無線ＬＡＮ接続サービス装置１０・５０と同様にショップサーバ１と複数のサービスＡＰ３とを備えている。
【０１４１】
そして、ショップサーバ１は、前記実施の形態２と同様に、記憶装置には、全コーナ２の売り場情報として、例えば「お買い得情報」や「直送便情報」等の固有情報としてのローカル情報４と、スーパーマーケットＡ店の顧客であることを示す予め登録された認証用ＩＤ５１と、情報を希望する携帯電話ｂの携帯電話アドレス４１とが記憶されている。したがって、ショップサーバ１は、その記憶装置に格納したローカル情報４を、直接、無線ＬＡＮ接続サービス装置６０の無線ＬＡＮ通信領域外の携帯電話ｂに一括して送信するようになっている。
【０１４２】
具体的には、本実施の形態の通信情報提供システムにおける所望情報提供装置２０は、図３に示すように、前記実施の形態１及び実施の形態２と構成が同じであるが、格納される情報の内容、処理の内容が異なっている。ただし、本実施の形態では、実施の形態２の所望情報提供装置２０の内容と略同じであるので、異なる部分についてのみ説明する。
【０１４３】
すなわち、本実施の形態では、判断部２５は、提供用固有情報記憶手段としての情報記憶部２２に記憶された認証済ＩＤ５１ａと、所望情報記憶手段としての所望情報記憶部２６に記憶された認証用ＩＤ５１とが一致するか否かを判断するＩＤ判断手段としての機能を有している。しかし、両者が一致すると判断されたときに、ローカル情報４の中に、所望情報記憶部２６に記憶された所望情報種別キーワード４２と一致又は類似するものがあるか否かを判断する情報判断手段としての機能は備えていなくてもよい。
【０１４４】
また、情報処理手段としての情報処理部２３は、判断部２５により、情報記憶部２２に記憶された認証済ＩＤ５１ａと、所望情報記憶部２６に記憶された認証用ＩＤ５１とが一致するか否かを判断すると判断されたときに、情報記憶部２２に記憶されたローカル情報４の全てをインターネット１３及び携帯電話通信網としての携帯電話網１２を介して送信すべく送信処理する。
【０１４５】
そして、送信手段としての送信部２４は、情報処理部２３の出力をインターネット１３及び携帯電話網１２を介して携帯端末を特定するための携帯電話アドレス４１に基づき携帯電話ｂに全てのローカル情報４を送信する。
【０１４６】
なお、本実施の形態では、全てのローカル情報４を受け取った携帯電話ｂは、その中から、所望するローカル情報４を選択して表示することができるようになっている。
【０１４７】
上記構成の通信情報提供システムにおける動作について、前記図８、図１２及び図１３に示すフローチャート、並びに図１１に基づいて説明する。
【０１４８】
先ず、ショップサーバ１は、図８に示すように、初期設定として、情報記憶部２２に携帯電話ｂの携帯電話アドレス４１と、全てのコーナ２のローカル情報４とを記憶しておく（Ｓ３１）。
【０１４９】
この状態で、携帯電話ｂは、図１１に示す「お買い得情報」や「直送直物」等の所望情報種別キーワード４２及び認証用ＩＤ５１を、該携帯電話ｂに登録するとともに、これら所望情報種別キーワード４２及び認証用ＩＤ５１を携帯電話網１２及びインターネット１３を介してメールにてショップサーバ１に送信する。このとき、携帯電話ｂは自動的に自己の携帯電話ｂの携帯電話アドレス４１も送信する。
【０１５０】
このメールを受信したショップサーバ１の所望情報提供装置２０は、図１２に示すように、携帯電話ｂから認証用ＩＤ５１を受信したときに、この携帯電話ａの携帯電話アドレス４１及び認証用ＩＤ５１とを互いに関連付けて所望情報記憶部２６に記憶する（Ｓ６１）。
【０１５１】
一方、この状態で、携帯電話ａは、図１１に示すように、スーパーマーケットＡ店の缶詰コーナに入店する。これにより、スーパーマーケットＡ店の缶詰コーナに設けられたサービスＡＰ３の通信領域内となる。
【０１５２】
したがって、携帯電話ａは、図１３に示すように、サービスＡＰ３に対して通信プロトコルに基づく接続要求を行うことにより、サービスＡＰ３は、携帯電話ａが登録された認証用ＩＤ５１を有するかの認証を行う（Ｓ７１）。
【０１５３】
サービスＡＰ３は、認証確認が取れれば、この認証済ＩＤ５１ａをショップサーバ１に送信する。これにより、ショップサーバ１の所望情報提供装置２０における図３に示す受信部２１はこの認証済ＩＤ５１ａを受信し、情報記憶部２２に記憶する（Ｓ７２）。このとき、サービスＡＰ３からローカル情報４を受信したときの時刻も合わせて関連付けて記憶することも可能である。
【０１５４】
次いで、所望情報提供装置２０の判断部２５は、情報記憶部２２に記憶した認証済ＩＤ５１ａと予め所望情報記憶部２６に記憶してある認証用ＩＤ５１とが一致するかを判断する（Ｓ７３）。
【０１５５】
そして、本実施の形態では、両者が一致すれば、ショップサーバ１は、情報処理部２３にて、全てのコーナ２のローカル情報４を、それを受信する携帯電話ｂの携帯電話アドレス４１とを関連づけて送信すべく、送信準備処理を行い、送信部２４に出力する（Ｓ７４）。
【０１５６】
次いで、例えば、判定部２７で、送信してよいかの判定を行った後（Ｓ７５）、送信部２４からインターネット１３及び携帯電話網１２を介して携帯電話ｂにメール送信する。
【０１５７】
これにより、携帯電話ｂは、図１１に示すように、全てのコーナ２の「お買い得情報」を知ることができる。
【０１５８】
なお、このとき、携帯電話ｂの表示画面には、全てのコーナ２の「お買い得情報」の一覧が表示されるので、携帯電話ｂのユーザはその全てのコーナ２の「お買い得情報」の中から所望するコーナ２の「お買い得情報」を選択できるようになっている。
【０１５９】
これにより、携帯電話ｂは携帯電話ａに対して、「鮭１尾買って来て」等のメール送信を行うことができる。
【０１６０】
このように、本実施の形態の通信情報提供システム及びその通信情報提供方法では、無線ＬＡＮ接続サービス装置６０の各サービスＡＰ３では、送信制御部３０が、サービスＡＰ３を識別するためのサービスＡＰ識別子３ａと、該サービスＡＰ３の通信領域内に存在する携帯電話ａとの通信時における認証済ＩＤ５１ａとをショップサーバ１へ送信する。
【０１６１】
そして、ショップサーバ１に設けられた所望情報提供装置２０は、いずれかのサービスＡＰ３からの、上記サービスＡＰ３の通信領域内に存在する携帯電話ａとの通信時における認証済ＩＤ５１ａの受信に基づいて、全てのローカル情報４を、インターネット１３及び携帯電話網１２を介して携帯電話ｂに送信する。
【０１６２】
したがって、ショップサーバ１に所望情報提供装置２０を備えることにより、携帯電話ａがいずれかのサービスＡＰ３の通信領域に入ったときに、ショップサーバ１は離れた場所の別の携帯電話ｂに全てのローカル情報４を直接送ることができる。
【０１６３】
また、これにより、無線ＬＡＮ接続サービス装置６０の通信領域に限定されたローカル情報４から所望するローカル情報４を提供された別の携帯電話ｂの利用者は、得られた全てのローカル情報４から所望するローカル情報４を選択して、携帯電話ａの利用者へ、その所望するローカル情報４に基づく指示を行うことが可能となる。
【０１６４】
また、本実施の形態の通信情報提供システム及びその通信情報提供方法では、サービスＡＰ識別子３ａにより、携帯電話ｂでは、どのサービスＡＰ３に限定された情報かを識別することができる。また、携帯電話ｂでは、サービスＡＰ識別子３ａ及びローカル情報識別子４ａにより、無線ＬＡＮ接続サービス装置６０のショップサーバ１から提供される全てのローカル情報４から所望するローカル情報４を選択することができる。
【０１６５】
また、本実施の形態の通信情報提供システム及びその通信情報提供方法では、判定部２７は、情報処理部２３の出力を送信部２４に入力するか否かを判定するので、送信すべきでないローカル情報４の送信を停止することができる。
【０１６６】
また、本実施の形態の通信情報提供システム及びその通信情報提供方法では、ショップサーバ１が認証済ＩＤ５１ａを受信したときの時刻により、所望するローカル情報４の有効時間を判断できる。また、認証済ＩＤ５１ａを受信したときの時刻、及び該受信時のサービスＡＰ３を識別するためのサービスＡＰ識別子３ａを関連させることによって、ショップサーバ１は、受信時のサービスＡＰ３を識別するためのサービスＡＰ識別子３ａに時刻情報を付けて転送することが可能となる。
【０１６７】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１６８】
最後に、サービスＡＰ３又は所望情報提供装置２０の各ブロックは、ハードウェアロジックによって構成してもよいし、次のようにＣＰＵなどの演算処理装置を用いてソフトウェアによって実現してもよい。
【０１６９】
すなわち、サービスＡＰ３又は所望情報提供装置２０の各ブロックは、各機能を実現する制御プログラムの命令を実行するＣＰＵ（central processing unit ）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるサービスＡＰ３又は所望情報提供装置２０の通信情報提供プログラムコード（実行形式プログラム、中間コードプログラム、ソースプログラム）をコンピュータで読み取り可能に記録した記録媒体を、上記サービスＡＰ３又は所望情報提供装置２０に供給し、そのコンピュータ（またはＣＰＵやＭＰＵ）が記録媒体に記録されているプログラムコードを読み出し実行することによっても、達成可能である。
【０１７０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７１】
また、サービスＡＰ３又は所望情報提供装置２０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【０１７２】
このように、本実施の形態の通信情報提供プログラムは、コンピュータを上記通信情報提供システムの各手段として機能させるためのコンピュータ・プログラムである。したがって、コンピュータで上記通信情報提供プログラムの各手段を実現することによって、上記通信情報提供プログラムを実現することができる。
【０１７３】
また、本実施の形態の記録媒体は、上記の各手段をコンピュータに実現させて、上記通信情報提供システムを動作させる通信情報提供プログラムを記録したコンピュータ読み取り可能な記録媒体である。したがって、記録媒体から読み出された通信情報提供プログラムによって、上記通信情報提供システムをコンピュータ上に実現することができる。
【産業上の利用可能性】
【０１７４】
本発明の通信情報提供システム及びその通信情報提供方法は、携帯電話、通信機能を備えたＰＤＡ、無線ＬＡＮ接続サービス装置に適用可能である。
【図面の簡単な説明】
【０１７５】
【図１】本発明における通信情報提供システムの実施の一形態を示すブロック図である。
【図２】上記通信情報提供システムにおけるアクセスポイントの構成を示すブロック図である。
【図３】上記通信情報提供システムにおける携帯電話ａに設けられた所望情報提供装置の構成を示すブロック図である。
【図４】上記通信情報提供システムにおける携帯電話ａに設けられた所望情報提供装置の初期設定を示すフローチャートである。
【図５】上記通信情報提供システムにおける携帯電話ａに設けられた所望情報提供装置における所望情報記憶部への情報提供設定動作を示すフローチャートである。
【図６】上記通信情報提供システムにおける携帯電話ａに設けられた所望情報提供装置における情報提供動作を示すフローチャートである。
【図７】本発明における通信情報提供システムの他の実施の形態を示すブロック図である。
【図８】上記通信情報提供システムにおけるショップサーバに設けられた所望情報提供装置の初期設定を示すフローチャートである。
【図９】上記通信情報提供システムにおけるショップサーバに設けられた所望情報提供装置における所望情報記憶部への情報提供設定動作を示すフローチャートである。
【図１０】上記通信情報提供システムにおける携帯電話ｂに設けられた所望情報提供装置における情報提供動作を示すフローチャートである。
【図１１】本発明における通信情報提供システムのさらに他の実施の形態を示すブロック図である。
【図１２】上記通信情報提供システムにおけるショップサーバに設けられた所望情報提供装置における所望情報記憶部への情報提供設定動作を示すフローチャートである。
【図１３】上記通信情報提供システムにおけるショップサーバに設けられた所望情報提供装置における情報提供動作を示すフローチャートである。
【図１４】従来の通信情報提供システムの構成を示すブロック図である。
【図１５】従来の他の通信情報提供システムの構成を示すブロック図である。
【符号の説明】
【０１７６】
１    ショップサーバ（情報サーバ）
２    コーナ（アクセスポイントの通信領域内）
３    サービスＡＰ（アクセスポイント）
３ａ  サービスＡＰ識別子（アクセスポイント識別子）
４    ローカル情報（固有情報）
４ａ  ローカル情報識別子
１０    無線ＬＡＮ接続サービス装置（無線ＬＡＮ通信手段）
１１    無線ＬＡＮ通信制御部
１２    携帯電話網（携帯電話通信網）
１３    インターネット
２０    所望情報提供装置（所望情報提供手段）
３０    送信制御部（送信制御手段）
２１    受信部（受信手段）
２２    情報記憶部（固有情報記憶手段、提供用固有情報記憶手段）
２３    情報処理部（情報処理手段）
２４    送信部（送信手段）
２５    判断部（判断手段、ＩＤ判断手段）
２６    所望情報記憶部（所望情報記憶手段）
２７    判定部（判定手段）
２８    タイマ（計時手段）
３２    認証部（認証手段）
３３    ローカル情報記憶部（アクセスポイント固有情報記憶手段）
４１    携帯電話アドレス（携帯端末識別子）
４２    所望情報種別キーワード（所望情報種別識別子）
５０    無線ＬＡＮ接続サービス装置（無線ＬＡＮ通信手段）
５１    認証用ＩＤ
５１ａ  認証済ＩＤ
６０    無線ＬＡＮ接続サービス装置（無線ＬＡＮ通信手段）
ａ    携帯電話（第１の携帯端末）
ｂ    携帯電話（第２の携帯端末）
【図１】
2006074630.tif 000003
【図２】
2006074630.tif 000004
【図３】
2006074630.tif 000005
【図４】
2006074630.tif 000006
【図５】
2006074630.tif 000007
【図６】
2006074630.tif 000008
【図７】
2006074630.tif 000009
【図８】
2006074630.tif 000010
【図９】
2006074630.tif 000011
【図１０】
2006074630.tif 000012
【図１１】
2006074630.tif 000013
【図１２】
2006074630.tif 000014
【図１３】
2006074630.tif 000015
【図１４】
2006074630.tif 000016
【図１５】
2006074630.tif 000017